(57)【要約】      （修正有）【課題】カップルでの夜間走行時のムード作りに貢献でき、エンジン停車時でもソケットを抜く必要がなく、球切れの心配がない自動車用電子装飾品を提供する。【解決手段】シガーライターソケットから電力を得るためのコネクター３と、表面に文字及び／又は図形が描かれこれらの文字及び／又は図形上に複数のＬＥＤ電球１１が配置された本体表示板１と、を具備し、コネクターとＬＥＤ電球が配置された表示板は電気コード２で結ばれている。ＬＥＤ電球には球切れの心配がない最新タイプのＬＥＤ電球が使用され、コネクター、電気コード、本体表示板のいずれかの場所に電源のオン・オフを行うスイッチ４が配備されている。スイッチは、ＬＥＤ電球の点灯状態と点滅状態を切替える機能を兼備する。【選択図】図１
0003188174.tif 000002
【実用新案登録請求の範囲】
【請求項１】
自動車用の電子装飾品であって、
シガーライターソケットから電力を得るためのコネクターと、
表面に文字及び／又は図形が付され前記文字及び／又は図形上に複数のＬＥＤ電球が配置された本体表示板と、
前記コネクターから前記本体表示板上の前記複数のＬＥＤ電球へ電力を供給する電気コードと、
を具備し、前記複数のＬＥＤ電球が点灯又は点滅することにより前記表示板の表面に付された前記文字及び／又は図形が前記複数のＬＥＤ電球によって表出されることを特徴とする電子装飾品。
【請求項２】
前記コネクター、前記電気コード、前記本体表示板のいずれかに、前記複数のＬＥＤ電球をオン又はオフ状態にするためのスイッチが配置されていることを特徴とする請求項１記載の電子装飾品。
【請求項３】
前記スイッチは、前記複数のＬＥＤ電球を点灯状態から点滅状態へ、又は点滅状態から点灯状態へ切替える機能を兼備していることを特徴とする請求項１又は２記載の電子装飾品。
【考案の詳細な説明】
【技術分野】
【０００１】
本考案は、特に夜間に自動車内を美しくする電子装飾品に関する。
【背景技術】
【０００２】
自動車には、通常、基本電圧１２Ｖの直流を供給するシガーライターソケットが装備されており、シガーライターのほかにも簡易取り付けタイプ等の車載電子機器の電源として利用されている。
【０００３】
シガーライターソケットを利用した電子装飾品としては、スポットライトやソケットトーチなどがある。
【考案の概要】
【考案が解決しようとする課題】
【０００４】
シガーライターソケットを利用した電子機器は数多く存在するが、純粋に遊び目的で、夜間走行時の自動車内の雰囲気を良くすることを目的とした電子装飾品は見当たらない。カップルでの夜間走行などにおいて、それなりのムード作りをしてくれる機器に対する需要も多い。
【０００５】
また、シガーライターソケットを利用した電子装飾品にはスイッチが付いていないものが多く、これらの電子機器は、コネクターを抜き差しすることにより機器のオン・オフを操作する。とくに、エンジンがストップしている状態では、バッテリーの消耗を考慮し、コネクターを抜いておかなければならない。
【０００６】
さらに、照明機器の中には、ＬＥＤ照明を使用しないため、また、使用していても古いタイプのＬＥＤであるために、走行時の電圧の変化等により球が切れてしまう場合がある。
【０００７】
これらの問題を解決すべく、本考案においては、エンジン停車時でもソケットを抜く必要がなく、また、球切れの心配がない、カップルでの夜間走行時のムード作りに貢献できる自動車用電子装飾品を提供することを課題とする。
【課題を解決するための手段】
【０００８】
上記課題を解決するため、本考案に係る自動車用電子装飾品は、シガーライターソケットから電力を得るためのコネクターと、表面に文字及び／又は図形が描かれこれらの文字及び／又は図形上に複数のＬＥＤ電球が配置された本体表示板と、を具備し、コネクターとＬＥＤ電球が配置された表示板は電気コードで結ばれている。
【０００９】
ＬＥＤ電球には球切れの心配がない最新タイプのＬＥＤ電球が使用され、また、コネクター、電気コード、本体表示板のいずれかの場所に電源のオン・オフを行うスイッチが配備されている。
【００１０】
さらに、前記スイッチは、ＬＥＤ電球の点灯状態と点滅状態を切替える機能を兼備する。該スイッチの操作により、前記文字及び／又は図形上に配置されたＬＥＤ電球が点灯又は点滅し、暗い車内において前記文字及び／又は図形が美しく表出される。
【考案の効果】
【００１１】
ＬＥＤ電球により、本体表示板上の文字及び／又は図形が美しく表出され、カップルでの夜間走行が楽しくなる。
【００１２】
最新タイプのＬＥＤ電球の使用により、球切れの心配が減少する。
【００１３】
電源のオン・オフがスイッチにより可能となるため、停車時にコネクターを抜く操作が必要なくなる。
【００１４】
ＬＥＤ電球の点灯状態と点滅状態を簡単に切替えることができるため、夜間走行の車内でのムード作りの幅が広がる。
【図面の簡単な説明】
【００１５】
【図１】本考案に係る自動車用電子装飾品の本実施形態の斜視図である。
【図２】本考案に係る自動車用電子装飾品の本実施形態の側面図である。
【考案を実施するための形態】
【００１６】
以下、本考案の実施形態の１例を図面を参照して説明する。
【００１７】
図１に示すように、本考案に係る自動車用電子装飾品は、本体表示板１と、シガーライターソケットから電力を得るためのコネクター３と、本体表示板１とコネクター３とを結ぶ電気コード２によって構成される。
【００１８】
本実施形態においては、本体表示板１の形状は楕円形で、サイズは横幅１８０ｍｍ、高さ８０ｍｍ、厚さ２０ｍｍである。また、表面には、点灯あるいは点滅によって表出される主文字１４として、「ＬＯＶＥ」の英字が表示板の幅一杯に付されており、主文字１４上に３０個の赤いＬＥＤ電球１１がほぼ均等間隔で配置されている。
【００１９】
後述のスイッチ４の操作により、主文字１４上に配置された赤いＬＥＤ電球１１が点灯又は点滅し、暗い車内において主文字１４が美しく表出される。
【００２０】
また、主文字１４「ＬＯＶＥ」の上部及び下部には、同じく英字の副文字１５が付されている。本実施形態では、上部に、“Will you marry me.
please. Let's get married.”の文字が、下部に、” Thank you so much. I had good time yesterday.” の文字が付されている。
【００２１】
ＬＥＤ電球１１には球切れの心配がない最新タイプのＬＥＤ電球が使用され、また、本実施形態ではコネクター３上にＬＥＤ電球１１のスイッチ４が配備されている。スイッチ４は、「ＯＮ」４１・「ＯＦＦ」４２の２つのボタンを有し、一度目のオンの状態で全点灯、ＯＦＦで消灯、次のＯＮで流れるように順調に点滅が開始される。
【００２２】
図２に示すように、本体表示板１の裏側には、ウィンドシールドやサイドウィンドウ等のガラス部分に固定するための取付ステイ１２と吸着板１３が配備されている。
【００２３】
以上、本考案の有する特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特に本体表示板１の形状、大きさ、付される文字・図形又はスイッチ４の配置場所・役割等を変更しての実施が可能である。また、本体表示板１の自動車内部への固定方法についても、吸着板１３以外の方法が可能であり、それらの違いは本考案の技術的思想を逸脱するものではない。
【符号の説明】
【００２４】
１    本体表示板
１１  ＬＥＤ電球
１２  取付ステイ
１３  吸着板
１４  主文字
１５  副文字
２    電気コード
３    コネクター
４    スイッチ
４１  ＯＮ
４２  ＯＦＦ
【図１】
0003188174.tif 000003
【図２】
0003188174.tif 000004